(57)【要約】【課題】より効率的に犯罪性を有する事象に関係した可能性のある人物の顔、服装、性別及び身長等の正確な情報を記録することができる監視装置を提供する。【解決手段】対象領域を撮像する撮影手段により対象領域の画像情報をリアルタイムで取得し、超音波やレーザー等のセンサを用いた非接触方式の身長測定装置を用い対象領域に侵入した人物の身長を測定し、取得された画像情報と測定された身長とを関連付けて記録することにより、犯罪性を有する事象に関係した可能性のある人物の顔、服装、性別及び身長等の正確な情報を記録し、当該人物の特定に役立てることができる監視装置。【選択図】図１
2014032617.tif 000002
【特許請求の範囲】
【請求項１】
対象領域を撮影することにより当該対象領域の画像情報を取得する撮影手段と、当該対象領域内に設けられ当該対象領域内を通過する人物の身長を測定する非接触方式の身長測定装置と、前記撮影手段によって撮影された画像情報と前記身長測定装置によって測定された被測定者の身長とを記録する画像・身長記憶部とを備えることを特徴とした監視装置。
【請求項２】
前記画像・身長記憶部は、前記撮影手段によって撮影された画像情報と前記身長測定装置によって測定された被測定者の身長とをその取得時刻に対応付けて記録することを特徴とした請求項1に記載の監視装置。
【請求項３】
単一の超音波センサと、前記超音波センサに接続される送信手段及び受信手段と、前記超音波センサからの送信波を被測定者の頭頂部で反射させ、当該反射波を前記超音波センサで受信するまでに要した時間を測定する機構とを備えたことを特徴とする前記非接触方式の身長測定装置を持つ請求項1に記載の監視装置。
【請求項４】
配置関係を対称とした2本の柱と、前記柱の一方に一定の間隔で上下方向に設けたレーザー発信素子と、前記柱の他方にレーザー発信素子に対向する各位置にレーザー受信素子と、レーザーを受信できなかったレーザー受信素子を検知する機構とを備えたことを特徴とする前記非接触方式の身長測定装置を持つ請求項1に記載の監視装置。
【請求項５】
請求項3または請求項4に記載の身長測定装置を備えることを特徴とした請求項1に記載の監視装置。
【発明の詳細な説明】
【技術分野】
【０００１】
本発明は、犯罪性を有する事象に関係した可能性のある人物を特定するための監視装置に関するものである。
【背景技術】
【０００２】
従来、街路などの公共の場所における防犯対策として、監視区域を撮像する監視カメラを設置し、監視カメラで撮像した画像を通信回線を介して遠隔地に設置された監視センタ等にて監視員が目視で監視するか、あるいは監視員による目視の代わりにハードディスク等の記録媒体に撮像画像を記録することが行なわれている。しかし、撮像画像を監視者の目視によって監視する方式の場合、監視区域は限定され、人件費などのコストも非常に高くつくことになる。また、撮像画像を記録媒体に記録する方式の場合、その撮像画像は警察によって証拠として利用されるケースが主である。そのため、犯罪の発生からその撮像画像が検証されるまでに相当な時間が経過することになり、被疑者の逮捕が遅くなるもしくは困難になるという問題があった。
【０００３】
そのため、監視区域の監視に要する労力を低減し広い範囲を監視できるとともに犯罪発生時には被疑者に関する情報を速やかに取得し得る技術として、下記特許文献1に開示される防犯監視システムが知られている。これは、犯罪の被害者が発報装置を操作することにより、発報装置と連動した撮像装置や画像処理装置が被害者と被疑者を検知し、その情報を送信するシステムである。
【０００４】
【特許文献１】特開2003-109155号
【発明の開示】
【発明が解決しようとする課題】
【０００５】
しかしながら、上記特許文献1に開示されるような人が街頭設置型の発報装置または携帯型の発報装置を操作することにより始動する上記特許文献1の防犯システムでは犯罪発生時にシステムが機能しない場合が多いという問題がある。例えば、街頭で身体の危険に係る犯罪が発生した場合、通常その被害者には発報装置を操作する時間的余裕はなく、犯罪発生時にシステムを機能させることができない。本発明は、上述した課題を解決するためになされたものであり、その目的とするところは人が発報装置を携帯したり操作したりすることなく犯罪に関係した可能性のある人物についての情報を得ることが可能な監視装置を提供することにある。
【課題を解決するための手段】
【０００６】
上記課題を解決するために、請求項1の監視装置では、対象領域を撮影することにより当該対象領域の画像情報を取得する撮影手段と、当該対象領域内に設けられ当該対象領域内を通過する人物の身長を測定する非接触方式の身長測定装置と、前記撮影手段によって撮影された画像情報と前記身長測定装置によって測定された被測定者の身長とをその撮影時刻に対応付けて記録する画像・身長記憶部とを備えることを特徴とする。
【０００７】
請求項2の監視装置では、前記画像・身長記憶部は、前記撮影手段によって撮影された画像情報と前記身長測定装置によって測定された被測定者の身長とをその取得時刻に対応付けて記録することを特徴とする。
【０００８】
請求項3の監視装置では、単一の超音波センサと、前記超音波センサに接続される送信手段及び受信手段と、前記超音波センサからの送信波を被測定者の頭頂部で反射させ、当該反射波を前記超音波センサで受信するまでに要した時間を測定する機構とを備えたことを特徴とする前記非接触方式の身長測定装置を持つことを特徴としている。
【０００９】
請求項４の監視装置では、配置関係を対称とした2本の柱と、前記柱の一方に一定の間隔で上下方向に設けたレーザー発信素子と、前記柱の他方にレーザー発信素子に対向する各位置にレーザー受信素子と、レーザーを受信できなかったレーザー受信素子を検知する機構とを備えたことを特徴とする前記非接触方式の身長測定装置を持つことを特徴としている。
【００１０】
請求項5の監視装置では、請求項3または請求項4に記載の身長測定装置を備えることを特徴としている。
【発明の効果】
【００１１】
請求項1の監視装置では、対象領域を撮影することにより当該対象領域の画像情報を取得する撮影手段と、当該対象領域内に設けられ当該対象領域内を通過する人物の身長を測定する非接触方式の身長測定装置と、前記撮影手段によって撮影された画像情報と前記身長測定装置によって測定された被測定者の身長とをその撮影時刻に対応付けて記録する画像・身長記憶部とを備えることを特徴としている。
【００１２】
対象領域を撮影することにより当該対象領域の画像情報をリアルタイムで取得する画像撮影部によって取得された画像情報と、身長測定部によって測定された身長とを関連付けて画像・身長記憶部で記録することにより、犯罪性を有する事象に関係した可能性のある人物の顔、服装、性別及び身長等の正確な情報を記録することができ人物の特定に役立てることが可能となる。
【００１３】
請求項2の監視装置では、前記画像・身長記憶部は、前記撮影手段によって撮影された画像情報と前記身長測定装置によって測定された被測定者の身長とをその撮影時刻に対応付けて記録することを特徴とている。
【００１４】
対象領域の撮影により当該対象領域の画像情報をリアルタイムで取得する画像撮影部によって取得された画像情報と、身長測定部によって測定された身長とをその取得時刻に関連付けて画像・身長記憶部で記録することにより、犯罪性を有する事象に関係した可能性のある人物の顔、服装、性別及び身長等の正確な情報を記録することができ人物の特定に役立てることが可能となる。
【００１５】
請求項3の監視装置では、単一の超音波センサと、前記超音波センサに接続される送信手段及び受信手段と、前記超音波センサからの送信波を被測定者の頭頂部で反射させ、当該反射波を前記超音波センサで受信するまでに要した時間を測定する機構とを備えたことを特徴とする前記非接触方式の身長測定装置を持つことを特徴としている。
【００１６】
上記超音波を用いた身長測定装置では、ひとが通過するのを検知した超音波センサは、送信波を被測定者の頭頂に向けて発射する。その後、被測定者の頭頂からの反射波(受信波)を超音波センサが受信する。この送信波を発射した時間から受信波を入力した時間を測定することで、身長測定部と被測定者の頭頂部までの距離を計測することができる。身長測定部と被測定者の頭頂部までの距離を先に測定しておいた地面から身長測定部までの距離から引くことで、被測定者の正確な身長を計測することが可能となる。
【００１７】
請求項4の監視装置では、配置関係を対称とした2本の柱と、前記柱の一方に一定の間隔で上下方向に設けたレーザー発信素子と、前記柱の他方にレーザー発信素子に対向する各位置にレーザー受信素子と、レーザーを受信できなかったレーザー受信素子を検知する機構とを備えたことを特徴とする前記非接触方式の身長測定装置を持つことを特徴としている。
【００１８】
前記レーザー等のセンサを用いた身長測定部では、例えば自動扉の縦枠の一方に一定の間隔(例えば1cm)で上下方向に配列している赤外線を発光する複数の赤外線発光素子と、自動扉の縦枠の他方に赤外線発光素子に対向する各位置に赤外線受光素子と、被測定者が自動扉の縦枠との間を通過することにより赤外線受光素子がどの高さまで赤外線を受光できなかったかにより被測定者の身長を算出する身長算出装置からなる。このレーザー等のセンサを用いた身長測定部は、例えば画像撮影部の撮影範囲内の入口または出口に設けられた自動扉の縦枠部などに設置される。自動扉の縦枠部の一方に一定の間隔で上下方向に配列された赤外線を発光する赤外線発光素子を設け、自動扉の縦枠部の他方に赤外線発光素子と対向する各位置に赤外線発光素子から発光された赤外線を受光するための赤外線受光素子を設置する。このように各発光素子・受光素子が配置された自動扉を被測定者が通過する際に、赤外線受光素子がどの高さまで赤外線を受光できなかったかにより身長算出装置が被測定者の身長を算出することが可能となる。
【図面の簡単な説明】
【００１９】
【図１】本発明に係る監視装置を概念的に示す説明図である。
【図２】超音波を用いた非接触の身長測定部を示す図である。
【図３】センサを用いた非接触の身長測定部を示す図である。
【図４】画像・身長記憶部のデータ構造を示した概念図である。
【発明を実施するための形態】
【００２０】
以下、本発明に係る防犯システムの一実施形態について図を参照して説明する。図1に示すように本発明の防犯システム10は画像撮影部11、身長測定部12、画像・身長記憶部13を有し、例えば、不特定多数の人が往来する公道や公園等の公共の場所、あるいは特定の人が利用する区域であっても不特定の人の出入りが可能な屋外契約駐車場や大学構内や私道等に設置される。また、具体的な設置位置としては、例えば、街灯、防犯灯、送電設備、通信設備、信号機、交通標識、歩道橋等を挙げることができる。
【００２１】
画像撮影部11は、監視区域内の画像を時系列的に撮影する撮影装置である。ここで「時系列的に撮影する」とは、画像を連続的に撮影する場合及び断続的に撮影する場合の双方を含む。また、画像撮影部11による撮影は他の処理内容に係らず継続的に行なわれる。
【００２２】
身長測定部12は、画像撮影部11の撮影範囲内に設置される。身長測定部12は、超音波やレーザー等のセンサを用いた非接触の身長測定装置であり、身長測定が可能な範囲内を人が通過した際は自動的に作動する。また、身長測定部12は画像・身長記憶部13と接続されており、画像・身長記憶部13は身長測定部12が測定した身長をその測定時刻と対応して記憶する。
【００２３】
例えば超音波を用いた身長測定部12は、図2に示すように超音波を発射し被測定者の頭頂部から反射された超音波を入射する超音波センサ21と、超音波の発射から入射までの時間を計測することで頭頂部までの最短距離を測定することにより非接触で被測定者の身長を算出する身長算出装置22からなる。この超音波を用いた身長測定装置では、ひとが通過するのを検知した超音波センサ21は、送信波を被測定者の頭頂に向けて発射する。その後、被測定者の頭頂からの反射波(受信波)を超音波センサ21が受信する。この送信波を発射した時間から受信波を入力した時間を測定することで、身長測定部12と被測定者の頭頂部までの距離を計測することができる。身長測定部12と被測定者の頭頂部までの距離を先に測定しておいた地面から身長測定部12までの距離から引くことで、被測定者の正確な身長を計測することができる。
【００２４】
また、レーザー等のセンサを用いた身長測定部12は、図3に示すように、例えば自動扉の縦枠の一方31に一定の間隔(例えば1cm)で上下方向に配列しているレーザーを発信する複数のレーザー発信素子32Aと、自動扉の縦枠の他方33にレーザー発信素子32Aに対向する各位置にレーザー受信素子32Bと、被測定者が自動扉の縦枠31と33の間を通過することによりレーザー受信素子32Bがどの高さまでレーザーを受信できなかったかにより被測定者の身長を算出する身長算出装置34からなる。このレーザー等のセンサを用いた身長測定部12は、例えば画像撮影部11の撮影範囲内の入口または出口に設けられた自動扉の縦枠部31、33などに設置される。自動扉の縦枠部の一方31に一定の間隔で上下方向に配列されたレーザーを発信するレーザー発信素子32Aを設け、自動扉の縦枠部の他方33にレーザー発信素子32Aと対向する各位置にレーザー発信素子32Aから発信されたレーザーを受信するためのレーザー受信素子32Bを設置する。このように各発信素子・受信素子が配置された自動扉を被測定者が通過する際に、レーザー受信素子32Bがどの高さまでレーザーを受信できなかったかにより身長算出装置34が被測定者の身長を算出する。
【００２５】
画像・身長記憶部13は、画像撮影部11において撮影された画像情報と身長測定部12によって測定された被測定者の身長をその撮影時刻及び測定時刻に対応付けて記憶する。図4はこの画像・身長記憶部13のデータ構造を例示した概念図である。図4に例示するように画像・身長記憶部13には、撮影・測定時刻と画像情報とが対応付けられて記憶される。
【００２６】
ここで上記発明に係る防犯装置の働きについて説明する。画像撮影部11は定められた撮影範囲の画像を連続的にまたは、断続的に撮影する撮影装置であり、身長測定部12はこの撮影範囲内に設けられ、その測定可能範囲内を通過した人の身長を自動的に測定する。測定された身長、撮影された画像はそれぞれ撮影時刻及び測定時刻に対応付けて画像・身長記憶部13に記憶される。そのため、本発明に係る防犯システムを使用することで犯罪性を有する事象に関係した可能性のある人物の顔、服装、及び身長等の正確な情報を記録することが可能になる。
【００２７】
以上詳細に説明したように本実施の形態では対象領域を撮影することにより当該対象領域の画像情報をリアルタイムで取得する画像撮影部11によって取得された画像情報と、身長測定部12によって測定された身長とを関連付けて画像・身長記憶部13で記録することにより、犯罪性を有する事象に関係した可能性のある人物の顔、服装、性別及び身長等の正確な情報を記録することができ人物の特定に役立てることができる。
【符号の説明】
【００２８】
10 防犯システム
11 画像撮影部
12 身長測定部
13 画像・身長記録部
21 超音波センサ
22 身長算出装置
31、33 縦枠
32A レーザー発信素子
32B レーザー受信素子
34 身長算出装置
【図１】
2014032617.tif 000003
【図２】
2014032617.tif 000004
【図３】
2014032617.tif 000005
【図４】
2014032617.tif 000006